(57)【要約】【課題】特に高い据付精度や寸法精度を要することなく、エレベータドアの所定の隙間を高い密閉度で密閉することができるエレベータドアの密閉装置を提供する。【解決手段】エレベータの乗降部に設けられた三方枠１と、この三方枠１に近接して配置された両開き式のエレベータドア５ａ，５ｂとを備え、前記エレベータドア５ａ，５ｂの戸袋側の縁部および一方のエレベータドア５ａの戸当り側の縁部に弾性を有する可撓性マグネット部材３０，３３を設け、戸閉時に前記マグネット部材３０を三方枠１の側枠部２における受け部２９に磁気的に密着させ、前記マグネット部材３３を他方のエレベータドア５ｂの戸当り側の縁部に設けられた受け部材３２に磁気的に密着させる。【選択図】    図２
2005041637.tif 000002
【特許請求の範囲】
【請求項１】
エレベータの出入口枠部材と、
この出入口枠部材に近接して設けられ、その出入口枠部材に対して開閉動作するエレベータドアと、
前記出入口枠部材と前記エレベータドアとのいずれか一方に設けられ、前記エレベータドアの戸閉動作に応じて前記エレベータドアと前記出入口枠部材との間の隙間を密閉する弾性を有する可撓性マグネット部材と、を備えることを特徴とするエレベータドアの密閉装置。
【請求項２】
前記可撓性マグネット部材は、前記エレベータドアの戸袋側の縁部に設けられ、前記エレベータドアの戸閉動作に応じて前記出入口枠部材の側部に接触するとともに磁気的に吸着してその間の隙間を密閉することを特徴とする請求項１に記載のエレベータドアの密閉装置。
【請求項３】
前記可撓性マグネット部材は、前記エレベータドアの戸当り側の縁部に設けられ、前記エレベータドアの戸閉動作に応じて前記出入口枠部材の側部に接触するとともに磁気的に吸着してその間の隙間を密閉することを特徴とする請求項１に記載のエレベータドアの密閉装置。
【請求項４】
前記可撓性マグネット部材は、前記エレベータドアの上部に設けられ、前記エレベータドアの戸閉動作に応じて前記出入口枠部材の上部に設けられた受け部材に接触するとともに磁気的に吸着してそのエレベータドアの上部と出入口枠部材の上部との間の隙間を密閉することを特徴とする請求項１に記載のエレベータドアの密閉装置。
【請求項５】
エレベータの出入口枠部材と、
この出入口枠部材に近接して設けられ、その出入口枠部材に対して開閉動作する両開き式のドア装置と、
前記両開き式のドア装置の一方のエレベータドアの戸当り側の縁部に設けられ、前記ドア装置の戸閉動作に応じて前記ドア装置の他方のエレベータドアの戸当り側の縁部に接触するとともに磁気的に吸着してその双方の戸当り側の縁部間の隙間を密閉する弾性を有する可撓性マグネット部材と、を備えることを特徴とするエレベータドアの密閉装置。
【請求項６】
エレベータの出入口枠部材と、
この出入口枠部材に近接して設けられ、その出入口枠部材に対して異なる速度で移動して開閉動作する複数のエレベータドアを有する片開き式のドア装置と、
前記片開き式のドア装置の少なくとも一つのエレベータドアに設けられ、前記ドア装置の戸閉動作に応じてその一つのエレベータドアと隣接する他の一つのエレベータドアに接触するとともに磁気的に吸着してその双方のエレベータドア間の隙間を密閉する弾性を有する可撓性マグネット部材と、を備えることを特徴とするエレベータドアの密閉装置。
【請求項７】
前記可撓性マグネット部材は、弾性変形可能な支持部材を介して支持されていることを特徴とする請求項１ないし６のいずれかに記載のエレベータドアの密閉装置。
【発明の詳細な説明】
【０００１】
【発明の属する技術分野】
この発明は、エレベータの出入口枠部材とこれに近接して設置されるドア装置との間の隙間やそのドア装置のドア同士間の隙間を密閉するエレベータドアの密閉装置に関する。
【０００２】
【従来の技術】
建屋のエレベータホールと昇降路との間には、エレベータに対する乗降部が設けられ、この乗降部に出入口枠部材としての三方枠が取り付けられ、この三方枠に近接してドア装置が設置されている。このドア装置は、昇降路内を昇降するかごが当該エレベータホールに着床する際に開放してかごに対する乗客の乗降を可能にし、そのかごが当該エレベータホールから離れる際に閉合する。
【０００３】
戸閉時におけるドア装置と三方枠との間やそのドア装置のドア同士間には僅かな隙間があり、このためエレベータホールで火災が発生した際に、その煙が前記隙間を通して昇降路内に流入し、昇降路が煙を上昇させる煙突として働き、火勢を強めてしまう恐れがある。
【０００４】
そこで、特開平８−６７４８６号に見られるように、ドア装置と三方枠との間の隙間をゴム材を用いる密閉手段で密閉することが提案されている。図６〜図８にはその従来の構造を示してあり、図６は三方枠１を昇降路側から見た正面図である。
【０００５】
三方枠１は、両側の側枠部２とその上部間に配置する上枠部３とを備え、この三方枠１に近接して両開き式のエレベータドア５が設けられている。三方枠１の上枠部３および各ドア５の上部には、それぞれ遮蔽部材７，８が互いに対応して傾斜するように取り付けられている。そして一方の遮蔽部材７に、図７に示すように、ゴム材９が取り付けられている。
【０００６】
ドア５が戸閉方向に移動した際には、ドア５の遮蔽部材８が上枠部３の遮蔽部材７に接近する。そして戸閉時にドア５の遮蔽部材８が図７に示すようにゴム材９に接触し、この接触でドア５と上枠部３との間の隙間が密閉される。
【０００７】
また、各ドア５の戸袋側の縁部には、図８に示すように、断面コ字状の遮蔽部材１２が設けられ、三方枠１の側枠部２には前記遮蔽部材１２内へ進入可能な遮蔽部材１３が設けられ、前記遮蔽部材１２の内側部にゴム材１４が取り付けられている。
【０００８】
そしてドア５が戸袋側から戸閉方向に移動した際に、ドア５の遮蔽部材１２内に側枠部２の遮蔽部材１３が相対的に進入し、ドア５の戸閉時にその遮蔽部材１３がゴム材１４に接触し、この接触でドア５と側枠部２との間の隙間が密閉される。
【０００９】
このように、三方枠１と各ドア５との間の隙間が密閉され、この密閉でエレベータホール側から昇降路内への煙の流入が防止される。
【００１０】
【特許文献１】
特開平８−６７４８６号公報
【００１１】
【発明が解決しようとする課題】
しかしながら、単に遮蔽部材とゴム材とを接触させて隙間を密閉する従来の構成においては、その遮蔽部材とゴム材とを高い精度で微調整しながら取り付ける必要があり、その精度が低いと遮蔽部材とゴム材との接触時にその各部を均一に密着させることが困難で部分的に密着不足が生じ、隙間を密閉する密閉度が低下してしまう。
【００１２】
このため、遮蔽部材およびゴム材を据え付けるときには高い据付精度が要求され、また遮蔽部材やゴム材に製造上の寸法誤差等が生じていると、高い密閉度が得られなくなってしまう。
【００１３】
この発明はこのような点に着目してなされたもので、その目的とするところは、特に高い据付精度や寸法精度を要することなく、所定の隙間を高い密閉度で密閉して防火防煙効果を高めることができるエレベータドアの密閉装置を提供することにある。
【００１４】
【課題を解決するための手段】
請求項１の発明は、エレベータの出入口枠部材と、この出入口枠部材に近接して設けられ、その出入口枠部材に対して開閉動作するエレベータドアと、前記出入口枠部材と前記エレベータドアとのいずれか一方に設けられ、前記エレベータドアの戸閉動作に応じて前記エレベータドアと前記出入口枠部材との間の隙間を密閉する弾性を有する可撓性マグネット部材とを備えることを特徴としている。
【００１５】
請求項２の発明は、前記可撓性マグネット部材が、前記エレベータドアの戸袋側の縁部に設けられ、前記エレベータドアの戸閉動作に応じて前記出入口枠部材の側部に接触するとともに磁気的に吸着してその間の隙間を密閉することを特徴としている。
【００１６】
請求項３の発明は、前記可撓性マグネット部材が、前記エレベータドアの戸当り側の縁部に設けられ、前記エレベータドアの戸閉動作に応じて前記出入口枠部材の側部に接触するとともに磁気的に吸着してその間の隙間を密閉することを特徴としている。
【００１７】
請求項４の発明は、前記可撓性マグネット部材が、前記エレベータドアの上部に設けられ、前記エレベータドアの戸閉動作に応じて前記出入口枠部材の上部に設けられた受け部材に接触するとともに磁気的に吸着してそのエレベータドアの上部と出入口枠部材の上部との間の隙間を密閉することを特徴としている。
【００１８】
請求項５の発明は、エレベータの出入口枠部材と、この出入口枠部材に近接して設けられ、その出入口枠部材に対して開閉動作する両開き式のドア装置と、前記両開き式のドア装置の一方のエレベータドアの戸当り側の縁部に設けられ、前記ドア装置の戸閉動作に応じて前記ドア装置の他方のエレベータドアの戸当り側の縁部に接触するとともに磁気的に吸着してその双方の戸当り側の縁部間の隙間を密閉する弾性を有する可撓性マグネット部材とを備えることを特徴としている。
【００１９】
請求項６の発明は、エレベータの出入口枠部材と、この出入口枠部材に近接して設けられ、その出入口枠部材に対して異なる速度で移動して開閉動作する複数のエレベータドアを有する片開き式のドア装置と、前記片開き式のドア装置の少なくとも一つのエレベータドアに設けられ、前記ドア装置の戸閉動作に応じてその一つのエレベータドアと隣接する他の一つのエレベータドアに接触するとともに磁気的に吸着してその双方のエレベータドア間の隙間を密閉する弾性を有する可撓性マグネット部材とを備えることを特徴としている。
【００２０】
請求項７の発明は、前記可撓性マグネット部材が、弾性変形可能な支持部材を介して支持されていることを特徴としている。
【００２１】
【発明の実施の形態】
以下、この発明の実施の形態について図１〜図５を参照して説明する。なお、従来の構成と対応する部分には同一符号を付してその重複する説明を省略する。
【００２２】
図１には第１の実施形態を示してあり、この実施形態においては、出入口枠部材としての三方枠１にドア装置として両開き式のエレベータドア５ａ，５ｂが設けられている。
【００２３】
三方枠１の上部にはヘッダーケース１８が設けられ、このヘッダーケース１８にドアレール１９が取り付けられている。各ドア５ａ，５ｂの上部にはハンガー２０が取り付けられ、このハンガー２０に両端部にドアローラ２１が回転自在に設けられ、これらドアローラ２１が前記ドアレール１９の上に転動自在に懸架され、これにより各ドア５ａ，５ｂがドアレール１９に沿って左右に移動する。
【００２４】
また、三方枠１の下部には敷居２４が設けられ、この敷居２４の上面にガイド溝（図示せず）が形成されている。各ドア５ａ，５ｂの下部にはガイドシュー２５が複数取り付けられ、これらガイドシュー２５が前記敷居２４のガイド溝内に摺動自在に嵌合し、これにより各ドア５ａ，５ｂが敷居２４に沿って左右にガイドされる。
【００２５】
図２（Ａ）にはドア装置の戸開時の状態を、図２（Ｂ）にはドア装置の戸閉時の状態をそれぞれ示してあり、ドア装置における各ドア５の戸袋側の縁部には支持部材２８が取り付けられている。
【００２６】
三方枠１における各側枠部２の外方側の側面はそれぞれ受け部２９となっており、前記各支持部材２８の側面には前記受け部２９と対向してそれぞれ帯状をなす可撓性マグネット部材（ラバーマグネット）３０が取り付けられている。前記可撓性マグネット部材３０は、ゴム等の弾性材料内にマグネット粒子を混入してシート状としたものである。
【００２７】
また、ドア装置の一方のドア５ａの戸当り側の縁部には支持部材３１が取り付けられているともに、他方のドア５ｂの戸当り側の縁部には板金製の受け部材３２が前記支持部材３１と対向するように取り付けられている。そして前記支持部材３１の側面に前記受け部材３２と対向して帯状をなす可撓性マグネット部材３３が取り付けられている。
【００２８】
前記マグネット部材３０，３３は、ドア５ａ，５ｂの上下の長さ区間に渡って連続するように前記支持部材２８，３１の側面に取り付けられている。
【００２９】
ドア装置が図２（Ａ）に示す戸開状態から戸閉する際には、各ドア５ａ，５ｂが互いに接近する方向に移動する。そして戸閉時に、図２（Ｂ）に示すように、各ドア５ａ，５ｂの戸袋側の縁部に設けられた可撓性マグネット部材３０が三方枠１における各側枠部２の受け部２９に接触し、また一方のドア５ａの戸当り側の縁部に設けられたマグネット部材３３が他方のドア５ｂの戸当り側の縁部に設けられた受け部材３２に接触する。
【００３０】
三方枠１の側枠部２は鋼板等の磁性体からなり、このため前記可撓性マグネット部材３０が側枠部２の受け部２９に接触する際にはそのマグネット部材３０が自己の磁力で受け部２９の側面に磁気的に吸着して密着し、この密着でドア５ａの戸袋側の縁部と側枠部２との間の隙間が確実に密閉される。
【００３１】
また、一方のドア５ａの戸当り側の縁部に設けられた可撓性マグネット部材３３が他方のドア５ｂの戸当り側の縁部の受け部材３２に接触する際には、その受け部材３２が板金製の磁性体であるから前記マグネット部材３３が自己の磁力で受け部材３２の側面に磁気的に吸着して密着し、この密着で両ドア５ａ，５ｂの戸当り間の隙間が確実に密閉される。
【００３２】
このようにマグネット部材３０，３３は単に受け部２９や受け部材３２に接触するだけでなく、自己の磁力でその受け部２９や受け部材３２に吸着するものであり、したがってマグネット部材３０，３３の取付位置に多少の誤差があったり、受け部２９や受け部材３２に据付上や寸法上の誤差が多少あっても、その微調整を要することなく、ドア装置の戸閉時にマグネット部材３０，３３の磁力でこれらマグネット部材３０，３３を弾性的に変形させて受け部２９や受け部材３２に的確に密着させ、適正にドア５ａ，５ｂの戸袋側の縁部と側枠部２との間の隙間、および両ドア５ａ，５ｂの戸当り間の隙間を密閉することができる。
【００３３】
なお、前記可撓性マグネット部材３０，３３を支持する支持部材２８，３１として板ばね等の弾性変形可能な部材を用いることも可能であり、この場合にはその支持部材２８，３１の弾性変形に基づいてより一層、可撓性マグネット部材３０，３３を受け部２９および受け部材３２に緊密に密着させることができる。
【００３４】
また、前記可撓性マグネット部材３０は、ドア５ａ，５ｂに設ける場合に限らず、三方枠１における側枠部２の外面部に設け、その可撓性マグネット部材に対向してドア５ａ，５ｂの戸袋側の縁部に受け部材を設け、ドア５ａ，５ｂの戸閉時に前記受け部材を前記可撓性マグネット部材に密着させる構成とすることも可能である。
【００３５】
三方枠１の上枠部３には、図１に示すように両開き式の各ドア５ａ，５ｂに対応して支持部材３７が設けられている。これら支持部材３７は傾斜して上枠部３に取り付けられ、これら支持部材３７に対応して各ドア５ａ，５ｂの上部に板金製の受け部材３８が取り付けられている。
【００３６】
互いに対応する支持部材３７と受け部材３８は同じ角度で傾斜し、ドア５ａ，５ｂの開閉動作でその支持部材３７と受け部材３８とが互いに接離するようになっている。そして図３に示すように、各支持部材３７の上面にその対応する受け部材３８と対向するように可撓性マグネット部材３９がそれぞれ取り付けられている。
【００３７】
図３（Ａ）はドア装置の戸開時の状態を示してあり、この状態からドア５ａ，５ｂが戸閉方向に移動し、一方のドア５ａの戸当り側の縁部と他方のドア５ｂの戸当り側の縁部とが突き当る戸閉時に、図３（Ｂ）に示すように、ドア５ａ，５ｂの受け部材３８の下面が上枠部３に設けられた可撓性マグネット部材３９に接触する。
【００３８】
受け部材３８は磁性体からなり、このため受け部材３８が可撓性マグネット部材３９に接触する際にはそのマグネット部材３９が自己の磁力で受け部材３８の下面に磁気的に吸着して密着し、この密着でドア５ａ，５ｂと上枠部３との間の隙間が確実に密閉される。
【００３９】
この場合においても、マグネット部材３９は単に受け部材３８に接触するだけでなく、自己の磁力で受け部材３８に磁気的に吸着するものであり、したがってマグネット部材３９の取付位置に多少の誤差があったり、受け部材３８に据付上や寸法上の誤差が多少あっても、その微調整を要することなくドア装置の戸閉時にマグネット部材３９の磁力でこのマグネット部材３９を弾性的に変形させて受け部材３８に的確に密着させ、適正にドア５ａ，５ｂと上枠部３との間の隙間を密閉することができる。
【００４０】
なお、前記可撓性マグネット部材３９を支持する支持部材３７として板ばね等の弾性変形可能な部材を用いることも可能であり、この場合にはその支持部材３７の弾性変形に基づいてより一層、可撓性マグネット部材３９を受け部材３８に緊密に密着させることができる。
【００４１】
また、前記可撓性マグネット部材３９は、上枠部３に設ける場合に限らず、ドア５ａ，５ｂに支持部材を介して設け設け、その可撓性マグネット部材に対向して上枠部３に受け部材を設け、ドア５ａ，５ｂの戸閉時に前記可撓性マグネット部材を前記受け部材に密着させる構成とすることも可能である。
【００４２】
図４および図５には第２の実施形態を示してあり、この実施形態においては、三方枠１に近接して片開き式のドア装置が設けられている。この片開き式のドア装置は一対のドア５ａ，５ｂを有し、これらドア５ａ，５ｂが図５に示すように前後に位置をずらして配置されている。
【００４３】
三方枠１の上部に設けられたヘッダーケース１８には２本のドアレール１９（１本のみ図示）が並列して設けられ、ドア装置の一方のドア５ａがその一方のドアレール１９にドアローラ２１を介して移動自在に懸架され、他方のドア５ｂが他方のドアレール１９にドアローラ２１を介して移動自在に懸架されている。
【００４４】
そして戸開時には、図５（Ａ）に示すように、両ドア５ａ，５ｂが三方枠１の一方の側枠部２ａの外方側の戸袋内に前後に重なるように収納配置され、この状態から戸閉動作時に両ドア５ａ，５ｂが三方枠１の他方の側枠部２ｂに向って移動する。
【００４５】
この際、一方のドア５ａは高速で移動し、他方のドア５ｂはその一方のドア５ａのほぼ１／２の低速の速度で移動し、これにより戸閉時に図５（Ｂ）に示すように両ドア５ａ，５ｂが前後に段違い状に配置して三方枠１の内側の出入口を閉鎖するようになっている。
【００４６】
また、戸閉状態から戸開する際には、一方のドア５ａが戸袋側に向って高速で移動し、他方のドア５ｂが戸袋側に向って低速で移動してその戸袋内に収納される。
【００４７】
各ドア５ａ，５ｂの戸袋側の縁部には、それぞれ支持部材４３，４４が取り付けられ、これら支持部材４３，４４の側面にそれぞれ可撓性マグネット部材４５，４６が取り付けられている。
【００４８】
そして低速移動するドア５ｂの戸袋側の反対側の縁部には、高速移動するドア５ａに設けられた前記可撓性マグネット部材４５と対向する受け部４９が設けられている。また、三方枠１の一方の側枠部２ａの外方側の側面は、低速移動するドア５ｂに設けられた前記可撓性マグネット部材４６と対向する受け部５０となっている。
【００４９】
高速移動するドア５ａの戸袋側の反対側の戸当り側の縁部には、支持部材５３が設けられ、この支持部材５３の側面に可撓性マグネット部材５４が取り付けられている。そして三方枠１の他方の側枠部２ｂの内方側の側面は、高速移動するドア５ａに設けられた前記可撓性マグネット部材５４と対向する受け部５５となっている。
【００５０】
なお、少なくとも前記各受け部４９，５０，５５は磁性体となっている。また、前記各可撓性マグネット部材４５，４６，５４は、ドア５ａ，５ｂの上下の長さ区間に渡って連続するように前記支持部材４３，４４，５３の側面に取り付けられている。
【００５１】
図５（Ａ）に示す戸開状態から両ドア５ａ，５ｂが戸閉方向に移動して戸閉するときには、図５（Ｂ）に示すように、低速移動するドア５ｂの戸袋側の可撓性マグネット部材４６が側枠部２ａの受け部５０に接触し、高速移動するドア５ａの戸袋側の可撓性マグネット部材４５が低速移動するドア５ｂの受け部４９に接触し、高速移動するドア５ａの戸当り側の可撓性マグネット部材５４が側枠部２ｂの受け部５５に接触する。
【００５２】
前記各受け部４９，５０，５５は磁性体であるから各マグネット部材４５，４６，５４がその対応する受け部４９，５０，５５に接触する際にはその各マグネット部材４５，４６，５４が自己の磁力で受け部４９，５０，５５の側面に磁気的に吸着して密着し、この密着でドア５ｂと側枠部２との間の隙間、ドア５ａ，５ｂ間の隙間、ドア５ａと側枠部２ｂとの間の隙間がそれぞれ確実に密閉される。
【００５３】
この場合においても、各マグネット部材４５，４６，５４は単に受け部４９，５０，５５に接触するだけでなく、自己の磁力で受け部４９，５０，５５に磁気的に吸着するものであり、したがってマグネット部材４５，４６，５４の取付位置に多少の誤差があったり、受け部４９，５０，５５に据付上や寸法上の誤差が多少あっても、その微調整を要することなくドア装置の戸閉時にマグネット部材４５，４６，５４の磁力でこれらマグネット部材４５，４６，５４を弾性的に変形させて受け部４９，５０，５５に的確に密着させ、適正に前記各隙間を密閉することができる。
【００５４】
なお、前記可撓性マグネット部材４５，４６，５４を支持する支持部材４３，４４，５３として板ばね等の弾性変形可能な部材を用いることも可能であり、この場合にはその支持部材４３，４４，５３の弾性変形に基づいてより一層、可撓性マグネット部材４５，４６，５４を受け部４９，５０，５５に緊密に密着させることができる。
【００５５】
また、前記可撓性マグネット部材４５，４６，５４を前記受け部４９，５０，５５の部分に設け、前記可撓性マグネット部材４５，４６，５４の配置部分に受け部材を設け、ドア５ａ，５ｂの戸閉時に前記可撓性マグネット部材と前記受け部材とが密着するように構成とすることも可能である。
【００５６】
さらに、前記各実施形態においては、エレベータホールの乗降部に設けられる三方枠に近接して設置されたドア装置を対象として説明したが、エレベータのかごにおいても、その出入口にその両側に配置する出入口柱とその上部間に架設される上枠部とで構成される出入口枠部材が設けられ、この出入口枠部材に近接してかごドア装置が設置されるから、その出入口枠部材とかごドア装置に対して前記各実施形態と同様の密閉装置を設けることも可能である。
【００５７】
また、この発明の密閉装置は、既設のエレベータに対してそのリニューアル時等に設置することも可能である。また、この発明は上下開き式ドアに対しても適用可能である。これは２Ｓの左右のドアが上下に配置された場合、構造的には同様となるためである。さらに、両開きドア式については左右にドアが１枚ずつ配置された場合を説明しているが、ドアが左右に２枚以上ある場合にも適用することができる。
【００５８】
【発明の効果】
以上説明したようにこの発明によれば、特に高い据付精度や寸法精度を要することなく、エレベータドアの所定の隙間を高い密閉度で密閉することができる。
【図面の簡単な説明】
【図１】この発明の第１の実施形態を示し、エレベータの乗降部のドア装置を昇降路側から見た正面図。
【図２】そのドア装置の断面図。
【図３】そのドア装置と三方枠の上枠部との対向部分の断面図。
【図４】この発明の第２の実施形態を示し、エレベータの乗降部のドア装置を昇降路側から見た正面図。
【図５】そのドア装置の断面図。
【図６】従来のドア装置を昇降路側から見た正面図。
【図７】そのドア装置と三方枠の上枠部との対向部分の断面図。
【図８】そのドア装置と三方枠の側枠部との接触部分の断面図。
【符号の説明】
１…三方枠、２，２ａ，２ｂ…側枠部、３…上枠部、５ａ，５ｂ…ドア、２８，３１，３７，４３，４４，５３…支持部材、２９，４９，４０，５５…受け部、３２，３８…受け部材、３０，３３，３９，４５，４６，５４…可撓性マグネット部材。
【図１】
2005041637.tif 000003
【図２】
2005041637.tif 000004
【図３】
2005041637.tif 000005
【図４】
2005041637.tif 000006
【図５】
2005041637.tif 000007
【図６】
2005041637.tif 000008
【図７】
2005041637.tif 000009
【図８】
2005041637.tif 000010